(57)【要約】【課題】温度変化、入力レベル変化が起きるような状態変化があっても、過渡的なスプリアス発生を抑制することができる歪補償増幅装置を提供する。【解決手段】歪検出ループ２０の入力側に接続された、入力レベル検出器１と入力レベルを減衰させる減衰器８と、主増幅部２４の近傍の温度レベルを検出する温度検出部２９と、入力レベルおよび温度レベルの各検出値とを入力情報とし、減衰器８の減衰制御および歪検出ループ２０と歪除去ループ３の歪補償制御を行う制御部６０とを備え、制御部６０の制御手順は、温度レベルの状態変化の際、変化前の状態の最適値を用いた歪補償制御を行い、入力レベルの状態変化の際、入力レベルを所定値まで減衰させる減衰制御を行い、変化前の状態の最適値または変化前の状態に隣接した状態の最適値のいずれかを選択して歪補償制御を行い、最終状態に至るまで、歪補償制御を順次繰り返し行う。【選択図】図１
2010062985.tif 000002
【特許請求の範囲】
【請求項１】
歪検出ループと歪除去ループを有するフィードフォワード方式の回路によって、主増幅部の出力信号に含まれる歪成分を低減させる歪補償増幅装置であって、
前記歪検出ループの入力側に接続された、入力レベル検出器と該入力レベルを減衰させる減衰器と、前記主増幅部の近傍の温度レベルを検出する温度検出部と、前記入力レベルおよび前記温度レベルの各検出値を入力情報とし、前記減衰器の減衰制御および前記歪検出ループと歪除去ループの歪補償制御を行う制御部とを備え、
前記制御部は、前記入力レベルと前記温度レベルのそれぞれの変化範囲から生成される複数の状態に対応させて、歪制御の最適値をテーブルデータ化し、該テーブルデータを書換え可能なメモリーに蓄積し、該蓄積された所望のデータを読み出し、前記歪制御で生成された新たな最適値に書換えを行いながら歪補償制御を進める手順を有し、
前記手順は、前記温度レベルの状態変化の際、該変化前の状態の最適値を用いた前記歪補償制御を行い、前記入力レベルの状態変化の際、該入力レベルを所定値まで減衰させる減衰制御を行い、該変化前の状態の最適値または該変化前の状態に隣接した状態の最適値のいずれかを選択して前記歪補償制御を行い、前記入力レベルの状態変化後の最終状態に至るまで、前記歪補償制御を順次繰り返し行い、
出力信号に含まれるスプリアス成分を抑制する構成とした歪補償増幅装置。
【発明の詳細な説明】
【技術分野】
【０００１】
本発明は、増幅装置の制御に関し、特に入力レベルの変化時および主増幅部近傍の温度の変化時の増幅装置制御に供して好適な歪補償増幅装置に関する。
【背景技術】
【０００２】
広帯域なマルチキャリア（広帯域多周波信号）の入力信号を増幅中継する無線基地局や中継器に適用されるフィードフォワード方式の歪補償増幅装置がある。その回路を図５のブロック図に示す。
【０００３】
フィードフォワード方式の歪補償増幅装置は、信号の増幅により発生する非直線歪（キャリア近傍のスプリアス成分等）を検出する歪検出ループ２と、発生した歪を除去する歪除去ループ３と、歪み制御を行う制御部６の回路を備え、出力信号の歪を抑えるものである。
【０００４】
従来のフィードフォワード方式の歪補償増幅器では、歪検出ループ２で検出される信号の増幅による歪成分が最小になるように、制御部６においてＤ／Ａ変換された信号を用いて振幅と位相を最適値になるように振幅位相可変部を調整している。同様に、歪除去ループ３においてもパイロット信号が最小になるように、Ｄ／Ａ変換された信号により振幅と位相を最適値になるように振幅位相可変部を調整している。このようなフィードフォワード方式の歪補装置において、歪検出ループ２と歪除去ループ３の最適制御値は、装置の温度や入力レベル又は出力レベルによりそれぞれ異なる値となるため、その制御値が最適値よりずれている場合は、最適値に収束するまでに時間がかかり、その間、出力信号はスプリアスとなって送出されることとなる。
【０００５】
このことを改善するために、図６に示すような温度レベルと入力レベルの状態遷移図をセグメント単位（１つのマス目領域；状態）に区分けされた最適値のテーブルデータにして制御部６のメモリーに記憶（メモリーマップ化）させて、温度変化、入力レベル変化が起きたときに、短時間で最適値を得る方法も従来技術として存在する。
【０００６】
例えば、メモリーマップを使用した方法では、装置は、図６の状態１における制御値がそれまで（現在）の動作によって最適化された値が格納されていたとする。次いで、入力レベル変化が起き、状態１→状態２に遷移したとする。
【０００７】
そこで、それまでの動作で最適化された状態１の制御値をテーブルデータとして、メモリーに書き換えて更新最適値として記憶させておく。次に、変化後である状態２の領域にある最適値（ここでは、デフォルト値）を新たな初期値（歪制御開始時に最初に選択される最適値）として読み出して、これを基に最適化制御動作を進める。このように、状態１→２→３→４と遷移する際に、移動前の領域に移動前の更新された最適値を書き換えながら保存しておくことで、状態移動の都度、より確かなテーブルデータに更新できるので、制御に要する時間を早めようとした従来技術である。
【０００８】
ところが、図７の温度レベル状態遷移図に示すように、また、図８の入力レベル状態遷移図に示すように、温度または入力のレベル変化量が１つの状態以上であると、従来技術のテーブルサーチの制御方式では、制御時間が早くなっても、飛び越し状態（例えば、図８の状態２１から状態２４）の制御が生じることもあり、その間の最適値ギャップが大きくなり、出力信号に過渡的なスプリアス発生の原因となることがある。
【０００９】
更に、従来技術のテーブル方式であると、工場から出荷するときに、予め測定値をデフォルト値として初期設定し、実際の動作では、状態遷移後において、遷移先のデフォルト値を読み出して制御を開始するが、回路定数の経年変化、周囲環境温度変化など、装置稼働当初と比較して、次第に動作条件の変化が生じる。
【００１０】
そのため、ＦＥＴ素子等の経年変化により、歪補償制御の動作とテーブルデータの対応に乖離が生じ、変化に即応できる最適値制御ではなくなる。また、各状態におけるメモリーマップ最適値を、予め試験を実施し、事前に書き込んでおかなければいけない。
【００１１】
このことから、結果的に制御時間を長引かせ、出力信号に過渡的なスプリアス発生の原因となることがある。
【００１２】
信号成分および歪成分の振幅と位相に対し、高精度な制御を要求されるフィードフォワード方式の増幅装置は、その歪補償特性において、入力レベルおよび周囲温度に依存することが大きい。
【００１３】
本発明の先行技術として、入力レベルと温度レベルのテーブルデータを備え、短時間で歪補償制御が行われて、スプリアス発生を軽減させようとする提案がある。（例えば、特許文献１  参照）
【特許文献１】特開平８−５６１２５号公報（図１）
【発明の開示】
【発明が解決しようとする課題】
【００１４】
図７，図８の従来方式のメモリーマップにより制御動作を進める歪補償増幅装置では、現在の状態から次の状態に遷移する際には、遷移先の場所に保存されている値（デフォルト値）を読み出して制御が行われるので、次の状態に遷移する場合、次の制御の初期値が最適値に最も近い値とは云えない可能性がある。また、増幅素子の内部動作特性の定数の経年変化により、その値が初期から変動している可能性もあるので、初期の最適値が保存されている遷移先の状態がいつまでも、最適値とは限らない。このため歪補償制御動作の収斂時間が長くなり、制御の経過時間内に現れる出力信号に、過渡的なスプリアス発生となる問題がある。
【００１５】
本発明の目的は、上記従来技術の問題点を解決し、温度変化、入力レベル変化が起きるような状態変化があっても、過渡的なスプリアス発生を抑制することができる歪補償増幅装置を提供することにある。
【課題を解決するための手段】
【００１６】
この目的を達成するために、本発明の歪補償増幅装置は、歪検出ループと歪除去ループを有するフィードフォワード方式の回路によって、主増幅部の出力信号に含まれる歪成分を低減させる歪補償増幅装置であって、前記歪検出ループの入力側に接続された、入力レベル検出器と該入力レベルを減衰させる減衰器と、前記主増幅部の近傍の温度レベルを検出する温度検出部と、前記入力レベルおよび前記温度レベルの各検出値を入力情報とし、前記減衰器の減衰制御および前記歪検出ループと歪除去ループの歪補償制御を行う制御部とを備え、前記制御部は、前記入力レベルと前記温度レベルのそれぞれの変化範囲から生成される複数の状態に対応させて、歪制御の最適値をテーブルデータ化し、該テーブルデータを書換え可能なメモリーに蓄積し、該蓄積された所望のデータを読み出し、前記歪制御で生成された新たな最適値に書換えを行いながら歪補償制御を進める手順を有し、前記手順は、前記温度レベルの状態変化の際、該変化前の状態の最適値を用いた前記歪補償制御を行い、前記入力レベルの状態変化の際、該入力レベルを所定値まで減衰させる減衰制御を行い、該変化前の状態の最適値または該変化前の状態に隣接した状態の最適値のいずれかを選択して前記歪補償制御を行い、前記入力レベルの状態変化後の最終状態に至るまで、前記歪補償制御を順次繰り返し行い、出力信号に含まれるスプリアス成分を抑制する構成とした。
【発明の効果】
【００１７】
本発明によれば、温度や入力レベルの変化に対して、その制御の間の過渡的なスプリアス発生を抑制することができるので、不要空間波の放射を防止する。
【００１８】
急激な温度変化や入力レベルの変化に対しても、過渡的なスプリアス発生を抑制しつつ本来のフィードフォワード方式の歪制御動作が行えるので、制御時間の短縮および最適値の更新頻度が向上する。
【００１９】
工場出荷時の初期設定値（デフォルト値）は、テーブル全領域のうち、当面の使用環境に合わせた限定範囲の最適パラメータとしてメモリーに記憶させておけばよいので、試験時間の短縮化される。
【００２０】
装置が運用中であっても、最新の最適値テーブルに自動更新する頻度が高いので、常に最短の制御時間で精度の高い歪補償が行えるので、装置の信頼性向上、機器のメンテナンスの省力化にもなる。
【発明を実施するための最良の形態】
【００２１】
図１に、本発明の一実施形態である歪補償増幅装置のブロック図を示し、その構成を説明する。
【００２２】
本実施形態の歪補償増幅装置は、入力信号を入力し、これを減衰器８へ出力し、検出された入力検出レベルを制御部６０へ供給する入力レベル検出器１と、制御部６０からの制御指令に従い入力信号のレベルを所望量に減衰させ、歪検出ループ２０へ出力する減衰器８と、減衰調整された入力信号を入力とし、増幅された増幅信号を歪除去ループ３への一方の出力（増幅信号遅延部３１への出力）とし、増幅信号の歪成分を歪除去ループ３への他方の出力とし、および、歪成分を歪レベル検出部５への出力とする歪検出ループ２０と、増幅信号および増幅信号の歪成分を入力として、これらをベクトル合成して歪成分を除去した増幅信号を出力レベル検出器４へ出力し、および、出力される増幅信号の一部をパイロットレベル検出部７へ出力する歪除去ループ３と、入力レベル検出器１で検出された入力検出レベル、温度検出部２９で検出した温度レベル、歪レベル検出部５で検出した歪レベル、パイロットレベル検出部７で検出されたパイロットレベルおよび、出力レベル検出器４で検出した出力検出レベルのそれぞれを入力とし、これら各入力情報に基づき計算処理を実行して生成された、減衰器８への減衰制御信号、歪検出ループ２０および歪除去ループ３の振幅、位相（ベクトル）制御信号のそれぞれを出力とする制御部６０とから構成している。
【００２３】
なお、減衰器８の減衰調整は、入力レベル検出器１で検出された入力検出レベルを基に行うが、出力レベル検出器４で検出された出力検出レベルを基に行ってもよい。
【００２４】
前記歪検出ループ２０は、入力信号を２分配する分配器２１と、分配された一方の入力信号を振幅と位相を制御部６０からの制御情報に従い制御する振幅・位相可変部Ａ（２２）と、その出力に対し、パイロット信号を注入するカプラ２３と、更に、カプラ２３出力を入力とし、所定の電力量に増幅した増幅信号を出力とする主増幅部２４と、分配された他方の入力信号に対し、主増幅系と同じ遅延量を与える入力信号遅延部２５と、主増幅部２４の出力（入力信号とパイロット信号とが加算され、両信号が増幅された増幅信号）を一方の出力とし、入力信号遅延部２５の出力とこれに同振幅・逆位相にされた主増幅部２４の抽出出力とをベクトル合成して歪成分を抽出し、これを他方の出力とする合成部２６と、歪成分の出力端から歪レベルを分岐出力するカプラ２８と、パイロット信号を発生するパイロット信号発生器２７と、主増幅部２４近傍の温度を検出して、その温度情報を制御部６０へ入力する温度検出部２９とから構成されている。
【００２５】
なお、前記合成部２６の他方の出力（歪成分）は、遅延入力信号と増幅されたパイロット信号を含む増幅信号の抽出信号とが同振幅・逆位相合成されて、増幅信号のキャリア成分がキャンセルされて、パイロット信号、パイロット信号の歪み分および入力信号の増幅信号の歪み分が加算された歪信号成分が抽出される。このとき、パイロット信号自体はキャンセルされることはない。
【００２６】
そこで、合成部２６の他方の出力である歪成分の回路にカプルして、パイロット信号、パイロット信号の歪み分および入力信号の増幅信号の歪み分が加算された歪信号成分からなる歪レベルが歪レベル検出部５を介して検出されて、その検出値が制御部６０に入力される。
【００２７】
次に、制御部６０での制御動作によって、歪検出系の振幅・位相可変部Ａ（２２）が制御されて、パイロット信号、パイロット信号の歪み分および入力信号の増幅信号の歪み分が加算された歪信号成分の歪レベルを最小にするような振幅・位相調整が行われる。その結果、合成部２６で抽出される主増幅部２４の出力である増幅信号の抽出信号が入力信号遅延部２５の出力信号に対し、同振幅・逆位相とされることとなる。
【００２８】
前記歪除去ループ３は、前記合成部２６の一方の出力であるパイロット信号を含む増幅信号（増幅されたパイロット信号の歪み分および入力信号の増幅信号の歪み分を含む増幅信号）に対して、副増幅系と同じ遅延量を与える増幅信号遅延部３１と、前記合成部２６の他方の出力であるパイロット信号、パイロット信号の歪み分および入力信号の増幅信号の歪み分が加算された歪信号成分は、この歪成分の波形に対して振幅調整および位相調整を行って、歪除去制御を行う振幅・位相可変部Ｂ（３２）と、振幅・位相調整を受けた歪成分を入力とし、これを前記増幅信号の歪み分の電力と同一にする所定の電力量に増幅する副増幅部３３と、増幅信号遅延部３１の出力および、副増幅部３３の出力（パイロット信号、パイロット信号の歪み分および入力信号の増幅信号の歪み分が加算された副増幅信号）を入力とし、増幅信号遅延部３１の出力と位相反転された副増幅部３３の出力とが同振幅・逆位相合成されて、パイロット信号および全部の歪成分がキャンセルされて、入力信号の増幅信号のキャリア成分のみを出力とする合成部３４と、その出力の一部レベルを抽出するカプラ３５とから構成されている。
【００２９】
そこで、カプラ３５にて出力信号の回路にカプルして、その出力信号の一部を抽出した信号は、パイロットレベル検出部７に入力され、増幅信号出力に含まれるパイロット信号のレベル（制御途上の残留パイロット信号レベル）を検出して、これを制御器６０へ入力する。
【００３０】
制御部６０での制御動作によって、歪除去ループ３の振幅・位相可変部３２が制御されて、検出されたパイロット信号レベルを最小にするような振幅・位相調整が行われる。
【００３１】
この振幅・位相調整の結果は、副増幅部３３の出力が増幅信号遅延部３１の出力に有する歪成分に対し、同振幅・逆位相となるような制御となる。
【００３２】
図２に、本発明の温度変化に着目した一実施例である歪補償増幅装置の温度レベル状態遷移図を示す。
【００３３】
本発明の制御は、図２に示すような温度レベル・入力レベル状態遷移図をテーブルデータにして制御部６０の書換え可能なメモリー（例；ＲＡＭ６３）に記憶（メモリーマップ化）させて、温度変化、入力レベル変化が起きたときに、テーブルサーチ（マス目毎に呼び出される最適値）の制御方式を用いて実行し、歪補償方式の制御時間を早める方式である。
【００３４】
広帯域多周波信号を高増幅する増幅素子を備えた主増幅部２４は、消費電力が大きく、そのため熱放出も大きいので、電源立ち上げ時のような周囲温度との温度差が生じる場合、あるいは、動作中であっても、装置の環境温度が大きく変化した場合、定常動作時の最適値としている温度に比較して、温度変化が生じたとして捉えた制御動作に移行する必要がある。
【００３５】
このとき、温度変化の経過時間に比較して、制御動作の時間は極めて短いので、温度変化に対応する最適値の制御動作は、先ず、それまでの最適値である定常動作時の温度状態である状態１１に対して、テーブルデータ１単位分の高温か低温かの隣接するどちらかの状態１２に遷移させた制御であればよい。
【００３６】
しかしながら、状態１２に記憶された当初の最適値であるデフォルト値は、先に説明したように、現在の最適値とかけ離れた値となっていることがあり、新たな最適値を求め、そこに達するまでの制御時間にテーブルデータの温度変化１マス目分（以下、１単位分）の不連続な制御値に遷移となることがあり、いずれにしても、過渡的な状態変化で発生するスプリアスの可能性がある。
【００３７】
このため、制御部６０は、前の状態１１から隣接状態１２に遷移する際に、状態１１での最適制御値をそのまま継続して使用する最適状態保持の歪補償制御を行えば、現在の最適値とかけ離れたデフォルト値により制御した場合に発生する可能性のあるスプリアス分が加算されず、本来の歪み分（図２左のスペクトラム図参照）のみとなる。
【００３８】
このような、本発明の最適状態保持の歪補償制御を備えた歪補償増幅装置であれば、温度による状態遷移に対してギャップの大きい値による制御を行うこともなく、スプリアスを発生させることもない。
【００３９】
図３に、本発明の入力レベル変化に着目した一実施例である歪補償増幅装置の入力レベル状態遷移図を示す。
【００４０】
本発明の歪補償増幅装置は、入力信号のレベル変化の状態が起きても、高電力増幅を行った増幅信号に、スプリアスを含む歪成分を低減させるものである。
【００４１】
そこで、入力レベル検出器１によって、これまでの歪補償制御動作によって最適制御値に生成された状態２１に対して、入力信号のレベル変化が起きた先のデフォルト値の最適制御値が格納された状態２４を次の状態遷移場所として検知する。
【００４２】
その際、状態２１から状態２４の方向に移動するが、先ず、テーブルデータ１単位分の変化に着目し、状態２１の隣接である状態２２のレベル時の出力と同等レベルになるように減衰器８の入力レベル減衰調整を行う。
【００４３】
そして隣接である状態２２における今回、読み出された最適値（デフォルト値）と状態２１のこれまでの最適値（概ね更新最適値）との比較を行う。
【００４４】
その差が予め定めた設定値よりも小さい場合、即ち、状態２２における今回、読み出された最適値（デフォルト値）での制御の方が精度よく歪補償制御が出来ると判定されるので、状態２２の最適値を用いた制御に切り替える。逆にその差が大きい場合は、これまでの最適値での制御の方が精度よく歪補償制御が出来ると判定されるので、これまでの状態２１の概ね更新済みの最適値をそのまま用いた制御とする。
【００４５】
そして制御部６０は、その選択された最適値のもとで、歪レベル検出部５にて検出されたパイロットレベル、パイロット歪レベル、ならびに、キャリア分の歪の加算された歪みレベルが、予め定めた一定値を超えるか否かの比較判定処理に入り、および、パイロットレベル検出部７が抽出されたパイロットレベルが、予め定めた一定値を超えるか否かの比較判定処理の動作に入る。
【００４６】
前記各比較判定処理の結果が、予め定めた一定値を超えていないと判定されたなら、問題とするスプリアスの発生には至らないとし、制御部６０によりそのまま次の状態２２から状態２３へと、更に遷移してテーブルデータ１単位分先に進める。
【００４７】
そこで更に、減衰器８を調整し、予め定めた一定値の比較、および、再び検出設定値の判定処理を繰り返し進める。
【００４８】
前記各比較判定処理の結果が、予め定めた一定値を超えていたと判定されたなら、この段階で、問題とするスプリアスの発生に至るとし、予め定めた一定値を超えないように状態２２において、今回の最適値を求める歪制御の最適化動作を行い、新たに最適な設定値を生成し、当該状態のメモリーを書き換えて、テーブルデータの更新を行っておく。
【００４９】
このように、過渡的なスプリアスの発生の可否判定を行いながら、テーブルデータ１単位分の変化に着目し、次の状態へ遷移する時に前の状態の最適値更新を行う。
【００５０】
そして。更に、次の状態へ遷移し最終的な状態（状態２４）になるまでこの動作を繰り返す。
【００５１】
この繰り返し動作により、最終状態になるまで段階的（テーブルデータ１単位分毎）に制御値を最適値更新していくので、入力増加時の制御における過渡的なスプリアスの発生を抑制することができる。
【００５２】
最適状態保持の歪補償制御と新たに求める最適状態の歪補償制御を選択しながら制御を行えば、スプリアス分が加えられず、本来の入力信号の増幅で発生する歪み分（図３左のスペクトラム図参照）のキャンセル制御だけが行なわれる。
【００５３】
図４に、本発明の温度・入力レベル変化に着目した一実施例である歪補償増幅装置を動作させるフローチャート図を示し、その手順の説明を行う。
【００５４】
先ず、温度または入力レベルの変化が現れたことを前提に、どちらの状態変化かを見極めるＳ１の「状態遷移」ステップから動作フローが開始される。
【００５５】
次に、Ｓ２の「入力レベル変化」の有無を判定するステップに入る。
Ｓ２で、入力レベル変化は無い、即ち、Ｎｏと判定されれば、Ｓ２０の「温度変化」のステップに入る。
【００５６】
温度変化Ｓ２０ステップの次の処理は、Ｓ３０の「前の状態の最適値をそのまま使用する」ステップに入る。更に、Ｓ４０の「前の状態に最適値を保存」のステップの実行に進み、最適値の保存後は「終了」ステップであるＳ１３で温度処理を終了する。
【００５７】
以上の温度変化時の処理は、前記図２での説明したように、制御部６０が前の状態１１から隣接状態１２に遷移する際に、状態１１での最適制御値をそのまま継続して使用する最適状態保持の歪補償制御を行えば、追尾動作時間が省略でき、即効性のある制御が行われるので、スプリアス発生が抑制され、入力信号の増幅過程で発生する本来の歪み分（図２右側のスペクトラム図参照）のみとなる。
【００５８】
なお、状態１１では、制御開始の初期値として最適制御値をそのまま継続して使用したが、使用後、即ち、今回の歪補償制御の処理後は、制御部６０の中で、新たな最適値を生成するプログラムが働いているので、この最適値を状態１１の指定メモリエリアに更新最適値として書換え、記憶される。
【００５９】
このように、温度変化は、時間的に制御動作と比較して急激な変化とはならないので、現在値に対して、１マス分の高温方向か低温方向かの隣接するどちらかの状態１２に遷移することとしてよい。
【００６０】
また、制御動作が状態１１から状態１２に切り替わった瞬間に、状態１１に状態１２で得られたデータを保存する。状態１２の値は、時間の経過とともに変化し、そのときの状態１１の値とは異なってくる。（後の領域が変化追従となる。）
【００６１】
一方、Ｓ２の判定ステップで、入力レベル変化が有り、即ち、Ｙｅｓと判定されれば、Ｓ３の「状態変更数」のステップへ進む。ここで、Ｎは状態変更数であり、図３の実施例での状態２１から状態２４への状態変更数（Ｎ＝２４−２１＝３）のレベル増加値を指す。
【００６２】
また、ｉ＝１は、最初の状態（前の状態）を初めの位置（第１の位置）とし、図３の実施例では状態２１を指す。
【００６３】
次に、Ｓ４の「ｉ→ｉ＋１状態確認」のステップへ進む。即ち、例ではｉ＝１＋１＝２であり、第２の位置である状態２２を指し、その状態の確認作業に入る。
【００６４】
次に、Ｓ５の「減衰器制御」のステップへ進む。減衰量はＰ（＝Ｎ−ｉ）段階行う。
即ち、例では、テーブルデータ１単位分増加した状態２２であるので、Ｐ＝３−２＝１段階の減衰量の制御が入力信号に対し行われる。
【００６５】
以上の入力レベル処理は、前記図３について説明したように、状態２１から状態２４の方向に遷移するが、先ず、テーブルデータ１単位分に着目し、状態２１の隣接である状態２２のレベル時の出力と同等レベルになるように減衰器８の調整を行う。
【００６６】
次に、Ｓ６の「ｉ状態最適値−（ｉ＋１）保存最適値」の絶対値を閾値と比較する判定ステップへ進む。即ち、例では、第１（ｉ＝１）の位置である状態２１のこれまでの歪制御動作で生成されて格納してある最適値と、その隣接する第２（ｉ＝２）の位置である状態２２における保存最適値（デフォルト値）との差分を生成し、その差分と予め定めた閾値との比較を行う。この差分の値は、歪みレベルに比例している。
【００６７】
そこで、前記Ｓ６判定ステップでの比較計算結果、その差が閾値である予め定めた設定値よりも小さい場合はＹｅｓとして、（ｉ＋１）保存状態の最適値を用いても歪補償制御が精度よく行えると判定できるので、Ｓ７の「ｉ＋１保存状態の最適値を選択」ステップへ進む。ここでは、最適値として、仕様を満たすレベルの範囲であるのでｉ＋１保存状態の最適値が採用される。
【００６８】
即ち、例では、状態２２の既に保存されていた最適値（デフォルト値）を用いた制御動作に移行する。
【００６９】
一方、前記Ｓ６判定ステップでの比較計算結果、逆に、その差が閾値である予め定めた設定値よりも大きい場合はＮｏとして、これまでの状態での最適値の制御の方が精度よく歪補償制御が出来ると判定できるので、Ｓ６０の「ｉ状態の現在の最適値を選択」ステップへ進む。
【００７０】
即ち、例では、状態２２の最適値（デフォルト値）で制御にすると、仕様を割ることになるので、これまでの状態２１の最適値をそのまま用いた制御動作を続行させる。
このように、Ｓ６判定ステップでの比較計算結果が小さい方が、仕様を満足する最適値となる。
【００７１】
次に、Ｓ８の「歪検出レベルａｎｄ  Ｐｉｌｏｔ  ＬＶＬ（パイロットレベル）」を閾値と比較するステップへ進む。
【００７２】
即ち、Ｓ８ステップでは、制御部６０において、前記Ｓ７処理またはＳ６０処理のいずれか選択された状態の最適値の基で、歪レベル検出部５で検出された歪みレベル（パイロット歪レベルを含むパイロットレベルおよび、キャリア分の歪レベルそれぞれの検出値）が、仕様を超えないための固有のそれぞれの設定閾値として予め定めた一定値を超えるか否かの比較判定処理に入る。
【００７３】
前記比較判定処理Ｓ８ステップの各計算結果が、閾値である予め定めた一定値を超えてはいないと判定されたならＹｅｓとし、直ちにＳ９の「ｉ＋１状態の最適値決定」ステップへ進む。
【００７４】
即ち、これは、（ｉ＋１）状態の最適値で歪制御を実行しても、問題とするスプリアスの発生には至らないと判定され、例では、状態２２における新たな最適値（更新最適値）を生成し、かつ、その更新最適値を初期値とした歪制御動作が行なわれる。
【００７５】
一方、前記各比較判定処理Ｓ８ステップの結果が、閾値である予め定めた一定値を超えたと判定されたならＮｏとし、先ず、Ｓ８０の「歪制御最適化動作」ステップへ進む。
【００７６】
即ち、問題とするスプリアスの発生に至ると判定し、閾値である予め定めた一定値を超えないように、ｉまたはｉ＋１のいずれか選択された状態（例えば状態２１又は状態２２）における、今回の最適値を求める歪制御の最適化の制御動作を実行し、新たな最適設定値を生成する。
【００７７】
Ｓ８０ステップの処理後、Ｓ９の「ｉ＋１状態の最適値決定」ステップへ進む。このｉ＋１状態の最適値決定は、検出設定値を超えない場合で決定となり、例では、状態２２における新たな最適値（更新最適値）を生成し、かつ、その更新最適値を初期値とした歪制御動作が行なわれる。
【００７８】
次に、Ｓ１０の「ｉ状態に最適値書込み保存」ステップへ進む。これは、Ｓ９の（ｉ＋１）状態、即ち、例では、状態２２の最適値決定のステップで生成された最適値を状態２１で指定されるメモリエリアに対して、更新最適値として書換え、記憶させる。
【００７９】
次に、Ｓ１１の「状態遷移完了」ステップへ進む。ここで、ｉ→ｉ＋１、即ち、例では、状態２１から状態２２への遷移が完了となる。
【００８０】
次に、Ｓ１２の「最終遷移状態か」の判定ステップへ進む。ここで、Ｎ＝ｉ＋１、即ち、例では、Ｎ＝２であるので、最終遷移状態（Ｎ＝３）とはならず、判定結果はＮｏとして、Ｓ４の入力側へ戻り、状態２２から状態２３への遷移処理を行う繰り返しフローに入る。
【００８１】
更に、状態２３の処理が終了すれば、状態２３から状態２４への遷移処理を行う繰り返しフローに入り、これが終了し、Ｎ＝３となれば、最終遷移状態であるので、判定結果はＹｅｓとして、Ｓ１３「終了」ステップとなる。
【００８２】
以上のようにして、状態が進む毎に減衰器８を調整し（Ｓ５）、予め定めた一定値の比較（Ｓ６，Ｓ８）等のステップを繰り返す。そこで問題とするスプリアスの発生に至るか至らないかの判定を逐次（状態が１つ進む毎）行いながら、最適値を求め、歪制御の最適化を行って、新たに最適な設定値を生成し、次の状態への遷移時に前の状態の最適値更新を行う。
【００８３】
そして、最終的な状態（状態２４）に至るまでの繰り返し動作により、最終状態になるまで段階的（テーブルデータ１単位分毎）に制御値を更新するため、最適状態保持の歪補償制御と新たに求めた最適状態の歪補償制御を選択しながらの制御となり、過渡的なスプリアスの発生を回避しながらの歪補償制御が行なわれる。
【産業上の利用可能性】
【００８４】
本発明は、移動通信に用いられる無線通信システムに適用されて、一例として、携帯電話システムの基地局装置や中継器に利用することができる。
【図面の簡単な説明】
【００８５】
【図１】本発明の歪補償増幅装置のブロック図である。
【図２】本発明の歪補償増幅装置の温度レベル状態遷移図である。
【図３】本発明の歪補償増幅装置の入力レベル状態遷移図である。
【図４】本発明の歪補償増幅装置のフローチャート図である。
【図５】従来技術の歪補償増幅装置のブロック図である。
【図６】従来技術の歪補償増幅装置の温度レベル・入力レベル状態遷移図である。
【図７】従来技術の歪補償増幅装置の温度レベル状態遷移図である。
【図８】従来技術の歪補償増幅装置の入力レベル状態遷移図である。
【符号の説明】
【００８６】
１  入力レベル検出器
２、２０  歪検出ループ
３  歪除去ループ
４  出力レベル検出器
５  歪レベル検出部
６、６０  制御部  
７  パイロットレベル検出部
８  減衰器
２１  分配器
２２、３２  振幅・位相可変部
２３、２８，３５  カプラ
２４  主増幅部
２５  入力信号遅延部
２６、３４  合成部
２７パイロット信号発生器
２９  温度検出部
３１  増幅信号遅延部
３３  副増幅部
【図１】
2010062985.tif 000003
【図２】
2010062985.tif 000004
【図３】
2010062985.tif 000005
【図４】
2010062985.tif 000006
【図５】
2010062985.tif 000007
【図６】
2010062985.tif 000008
【図７】
2010062985.tif 000009
【図８】
2010062985.tif 000010